(57)【要約】【課題】漏れ判定に要する電力が小さい蒸発燃料処理装置の故障検出装置を提供する。【解決手段】燃料タンク１とキャニスタ３とを備える蒸発燃料処理装置と、これの処理系内の圧力を検知する圧力センサ１１と、処理系内を密閉状態に維持するステップモータ式のＣＣＶ１５と、これらを制御するＥＣＵ３５とを備え、処理系内を密閉状態に維持したときの圧力変化量に基づいて蒸発燃料の漏れ判定を行う。ＣＣＶ１５は、通電により開閉が切り替わるが、開弁状態と閉弁状態のいずれも非通電状態で保持される。ＥＣＵ３５はタイマー機能を備え、キーオフした車両停止中でも所定時間毎に漏れ判定を行う。また、タイマー式漏れ判定を行う前に、所定時間内の圧力変化が所定範囲内であれば判定保留とするプレ判定も行う。【選択図】図３
2015075031.tif 000002
【特許請求の範囲】
【請求項１】
燃料タンクとキャニスタとを備える蒸発燃料処理装置と、該蒸発燃料処理装置の処理系内の圧力を検知する圧力検知手段と、前記処理系内を密閉状態に維持する密閉手段とを備え、前記処理系内を密閉状態に維持した状態における処理系内の圧力変化量に基づいて蒸発燃料の漏れ判定を行う、蒸発燃料処理装置の故障検出装置であって、
前記密閉手段として、前記キャニスタを大気に開放する大気通路上に設けられたキャニスタクローズドバルブを有し、
該キャニスタクローズドバルブは、通電により開閉が切り替わり、開弁状態と閉弁状態のいずれの状態も非通電状態で保持可能なバルブからなることを特徴とする、蒸発燃料処理装置の故障検出装置。
【請求項２】
燃料タンク内の燃料温度を検知する燃温検知手段を備え、
燃温変化量と内圧変化量とに基づいて漏れ判定を行う、請求項１に記載の蒸発燃料処理装置の故障検出装置。
【請求項３】
前記漏れ判定は、制御装置により自動制御されており、
前記制御装置はタイマー機能を備え、
キーオフした車両停止中でも所定時間毎に漏れ判定回路を起動して漏れ判定を行い、漏れ判定が終了すると前記漏れ判定回路が停止されるタイマー式漏れ判定が可能な、請求項１または請求項２に記載の蒸発燃料処理装置の故障検出装置。
【請求項４】
車両停止直後、前記タイマー式漏れ判定を行う前に、密閉状態とした所定時間内の前記処理系内の圧力変化が所定範囲外であれば漏れ無しと判定し、所定時間内の前記処理系内の圧力変化が所定範囲内であれば判定保留とするプレ判定を行う、請求項３に記載の蒸発燃料処理装置の故障検出装置。
【請求項５】
前記プレ判定において判定保留の場合のみ、前記キャニスタクローズドバルブを開閉して前記処理系内の圧力を一旦大気圧と同等にリセットしてから、再度前記処理系内を密閉状態としてタイマー式漏れ判定を行う、請求項４に記載の蒸発燃料処理装置の故障検出装置。
【請求項６】
前記キャニスタクローズドバルブはステップモータ式バルブである、請求項１ないし請求項５のいずれかに記載の蒸発燃料処理装置の故障検出装置。
【請求項７】
前記キャニスタクローズドバルブと並列に、所定圧力以上になると開弁される機械式の正負圧リリーフ弁が設けられている、請求項１ないし請求項６のいずれかに記載の蒸発燃料処理装置の故障検出装置。
【請求項８】
前記漏れ判定中に給油を検知すると漏れ判定が終了される、請求項１ないし請求項７のいずれかに記載の蒸発燃料処理装置の故障検出装置。
【請求項９】
前記圧力検知手段として、前記燃料タンク内の圧力を検知する燃料タンク内圧検知手段と、前記キャニスタ内の圧力を検知するキャニスタ内圧検知手段とを有し、
前記燃料タンクと前記キャニスタとの間には、該燃料タンクとキャニスタとの連通状態と遮断状態を切り替え可能な遮断手段を有し、
前記漏れ判定時には、前記遮断手段によって前記燃料タンクと前記キャニスタとを遮断して、燃料タンク側処理系内とキャニスタ側処理系内の漏れ判例を個別に行う、請求項１ないし請求項８のいずれかに記載の蒸発燃料処理装置の故障検出装置。
【発明の詳細な説明】
【技術分野】
【０００１】
本発明は、蒸発燃料処理装置の処理系内を密閉状態に維持して、そのときの圧力変化量に基づいて蒸発燃料の漏れ判定を行う、蒸発燃料処理装置の故障検出装置に関する。
【背景技術】
【０００２】
従来から、ガソリン等を燃料とする車両には、燃料タンクの内圧上昇に基づく破損を回避しながら、蒸発燃料が大気中へ放散されることを防止する蒸発燃料処理装置が搭載されている。しかし、蒸発燃料処理装置に亀裂や連結部のシール不良等の故障が存在していると、処理系内から蒸発燃料が漏れ出てしまう。このような蒸発燃料の漏れが生じていても、運転者は故障を直接認知することは出来ない。そこで、蒸発燃料処理装置の漏れの有無を判定（リーク判定）する故障検出装置が、例えば下記特許文献１に提案されている。
【０００３】
特許文献１では、燃料タンク及びキャニスタを備える蒸発燃料処理装置と、該蒸発燃料処理装置の処理系内の圧力を検知する圧力検知手段と、処理系内を密閉状態に維持する密閉手段として、キャニスタを大気に開放する大気通路上に設けられたベントカットバルブ（キャニスタクローズドバルブ）とを備え、エンジン停止中にベントカットバルブを閉弁して処理系内を密閉状態に維持し、そのときの処理系内の圧力変化量と燃温変化量に基づいて蒸発燃料の漏れ判定を行っている。
【先行技術文献】
【特許文献】
【０００４】
【特許文献１】特開２００５−３４４５４０号公報
【発明の概要】
【発明が解決しようとする課題】
【０００５】
しかしながら、特許文献１では密閉手段としてのベントカットバルブは常開型の電磁弁からなるため、漏れ判定時には密閉状態を維持するためにベントカットバルブへ通電し続けなければならず、消費電力が大きくなってしまう。そのため、時間的に長いスパンで繰り返し漏れ判定を行うことも難しい。
【０００６】
そこで、本発明は上記課題を解決するものであって、漏れ判定に要する電力が小さい蒸発燃料処理装置の故障検出装置を提供することを目的とする。
【課題を解決するための手段】
【０００７】
そのための手段として、本発明の蒸発燃料処理装置の故障検出装置は、燃料タンクとキャニスタとを備える蒸発燃料処理装置と、該蒸発燃料処理装置の処理系内の圧力を検知する圧力検知手段と、前記処理系内を密閉状態に維持する密閉手段とを備え、前記処理系内を密閉状態に維持した状態における処理系内の圧力変化量に基づいて蒸発燃料の漏れ判定（リーク判定）を行う。そのうえで、前記密閉手段として、前記キャニスタを大気に開放する大気通路上に設けられたキャニスタクローズドバルブ（ＣＣＶ）を有し、該キャニスタクローズドバルブは、通電により開閉が切り替わり、開弁状態と閉弁状態のいずれの状態も非通電状態で保持可能なバルブからなることを特徴とする。
【０００８】
これによれば、ＣＣＶの開弁状態と閉弁状態とを切り替える際に通電するだけでよく、その後は非通電状態で密閉状態を維持できるため、漏れ判定に要する電力を大幅に低減することができる。そのため、従来と同程度もしくはこれより少ない電力消費で時間的に長いスパンでの漏れ判定も可能となる。時間的に長いスパンで繰り返し漏れ判定が可能となれば、故障が発生したことを早期に検出することができる。
【０００９】
当該故障検出装置には、燃料タンク内の燃料温度を検知する燃温検知手段も設けて、燃温変化量と内圧変化量とに基づいて漏れ判定を行うこともできる。これによれば、燃料温度に基づく圧力の傾向も加味することができるので、漏れ判定の精度が向上する。
【００１０】
前記漏れ判定は、制御装置により自動制御することができる。この場合、前記制御装置にタイマー機能を持たせることが好ましい。これによれば、キーオフした車両停止中（エンジン停止中）でも所定時間毎に漏れ判定回路を起動して漏れ判定を行い、漏れ判定が終了すると前記漏れ判定回路が停止されるタイマー式漏れ判定が可能となり、消費電力も必要最低限の量で行うことができる。
【００１１】
このとき、車両停止直後、前記タイマー式漏れ判定を行う前に、密閉状態とした所定時間内の前記処理系内の圧力変化が所定範囲外であれば漏れ無しと判定し、所定時間内の前記処理系内の圧力変化が所定範囲内であれば判定保留とするプレ判定を行うことも好ましい。車両停止直後は、エンジンからの廃熱の影響で処理系内の圧力が基本的に上昇することが多く、その上昇幅を検知することで漏れ判定を行うことになるが、車両停止直後でも処理系内の圧力が上昇していなければ、正確な漏れ判定を行うことができない。そこで、上記のようにプレ判定を行っていれば、無駄な電力消費を避けることができる。この意味においても、電力消費の低減に有利となる。
【００１２】
また、前記プレ判定において判定保留の場合のみ、前記キャニスタクローズドバルブを開閉して前記処理系内の圧力を一旦大気圧と同等にリセットしてから、再度前記処理系内を密閉状態としてタイマー式漏れ判定を行うことも好ましい。一旦大気圧程度に圧力をリセットしていれば、その後の漏れ判定を安定して行うことができる。
【００１３】
前記キャニスタクローズドバルブとしては、例えばステップモータ式バルブを挙げることができる。
【００１４】
さらに、前記キャニスタクローズドバルブと並列して、所定圧力以上になると開弁される機械式（メカ式）の正負圧リリーフ弁も設けることが好ましい。これによれば、燃料タンクを含む処理系内が過度に正圧となったり負圧となれば、自動的にリリーフ弁が開弁して圧力開放されることで、燃料タンクの不用意な破損を防止するフェールセーフ機能を持たせることができる。また、常時圧力をモニタリングして圧力調整する必要が無く、且つリリーフ弁も機械作動により非通電で開弁するので、消費電力を低減することもできる。
【００１５】
なお、前記漏れ判定中に給油が検知されると、漏れ判定が終了されるよう設定することが好ましい。給油が行われると燃料タンクを含めて処理系内の圧力が急激に上昇して漏れ判定を行うことができないため、その場合は確実に漏れ判定を終了させれば、無駄な電力消費を避けることができる。また、漏れ判定は処理系内を密閉して行うため、燃料タンクの破損防止にもなる。
【００１６】
前記圧力検知手段として、前記燃料タンク内の圧力を検知する燃料タンク内圧検知手段と、前記キャニスタ内の圧力を検知するキャニスタ内圧検知手段とを設け、且つ前記燃料タンクと前記キャニスタとの間に、該燃料タンクとキャニスタとの連通状態と遮断状態を切り替え可能な遮断手段を設けたうえで、前記漏れ判定時には、前記遮断手段によって前記燃料タンクと前記キャニスタとを遮断して、燃料タンク側処理系内とキャニスタ側処理系内の漏れ判例を個別に行うこともできる。
【発明の効果】
【００１７】
本発明の蒸発燃料処理装置の故障検出装置によれば、漏れ判定時の消費電力を大幅に低減することができる。
【図面の簡単な説明】
【００１８】
【図１】蒸発燃料処理装置および故障検出装置の模式図である。
【図２】ＣＣＶの断面図である。
【図３】漏れ判定回路の起動タイミングと処理系内の圧力変化等を示すグラフである。
【図４】故障検出成立条件を判定するフェイズを示すフロー図である。
【図５】プレ判定フェイズのフロー図である。
【図６】漏れ判定フェイズのフロー図である。
【図７】ＣＣＶの別例の断面図である。
【図８】故障検出装置の変形例を示す模式図である。
【発明を実施するための形態】
【００１９】
以下、本発明の代表的な実施の形態について説明するが、これに限定されることはなく、本発明の要旨を逸脱しない範囲で種々の変形が可能である。特に、故障（漏れ）の検出対象である蒸発燃料処理装置は、必須の構成要素である燃料タンクとキャニスタとを備える基本的構成を有する限り、キャニスタを加熱するヒータ、蒸発燃料を分離精製する分離膜、キャニスタへ負圧を作用させて蒸発燃料を積極的に脱離させる真空ポンプ等の吸引手段など、その他種々の構成要素を付加できる。蒸発燃料処理装置は、揮発性の高い燃料（例えばガソリンなど）を燃料とする、自動車などの車両へ好適に適用できる。
【００２０】
まず、機関吸気を利用したエバポパージシステムを採用した蒸発燃料処理装置に、本発明の故障検出装置を適用した実施形態について説明する。蒸発燃料処理装置は、図１に示すように、燃料Ｆを貯留する燃料タンク１、燃料タンク１内の燃料Ｆを内燃機関（エンジン）３０へ圧送供給する燃料ポンプ２、および燃料タンク１内で発生した蒸発燃料（ベーパ）を吸着するキャニスタ３などを有する。符号３１は、エンジン３０へ空気を吸入する吸気通路である。符号３２は、アクセルペダル（図示せず）の踏み込み量に応じて吸入空気量を制御するストッロルバルブである。燃料タンク１とキャニスタ３とは、ベーパ通路４を介して連通されている。キャニスタ３と吸気通路３１とは、パージ通路５を介して連通されている。なお、パージ通路５は、スロットルバルブ３２より下流において吸気通路３１と連結されている。吸気通路３１の先端（エンジン３０と反対側）は、エアフィルタ（図示せず）を介して大気開放されている。燃料ポンプ２は燃料タンク１内に配され、燃料供給通路６を通してエンジン３０へ向けて燃料Ｆを圧送する。キャニスタ３にも、その先端が大気開放された大気通路１０が連結されている。
【００２１】
燃料タンク１には、当該燃料タンク１を含めて処理系の内圧を検知する圧力センサ１１が設けられている。なお、圧力センサ１１は、処理系内の圧力を検知可能な部位であれば、その設置位置は特に限定されない。例えば、燃料タンク１以外に、キャニスタ３、ベーパ通路４、またはパージ通路５等に設けることもできる。圧力センサ１１が、本発明の圧力検知手段に相当する。また、燃料タンク１には、燃料Ｆの温度を検知する燃温センサ１２が設けられている。燃温センサ１２が、本発明の燃温検知手段に相当する。圧力センサ１１および燃温センサ１２による検知信号は、エンジン・コントロール・ユニット（ＥＣＵ）３５に入力される。ＥＣＵ３５は、中央処理装置（ＣＰＵ）、読み出し専用メモリ（ＲＯＭ）、ランダムアクセスメモリ（ＲＡＭ）などを有する。詳細は後述するが、ＲＯＭに所定の制御プログラム及びタイマー機能が予め記憶されており、ＣＰＵが、制御プログラムに基づいて各構成要素を所定のタイミングで制御操作したり演算処理する。
【００２２】
キャニスタ３の内部には吸着材Ｃが充填されている。吸着材Ｃとしては、空気は通すが、蒸発燃料を吸着・脱離可能な活性炭等を使用できる。大気通路１０上には、当該大気通路１０の連通状態と遮断状態とを切り替えて処理系内を密閉状態とする密閉手段として、キャニスタクローズドバルブ（ＣＣＶ）１５が設けられている。また、パージ通路５上にも、当該パージ通路５の連通状態と遮断状態とを切り替えて処理系内を密閉状態とするもう１つの密閉手段として、パージ通路弁１３が設けられている。本実施形態では、燃料タンク１からパージ通路弁１３及びＣＣＶ１５に至る閉鎖可能な一連の空間、すなわち燃料タンク１、キャニスタ３、ベーパ通路４、パージ通路５、大気通路１０で構成される処理系の故障検出（漏れ判定）をすることになる。なお、大気通路１０上には、ＣＣＶ１５と並列して正負圧リリーフ弁１６が設けられている。
【００２３】
ＣＣＶ１５は、ＥＣＵ３５によって開閉タイミングが制御操作されるが、開弁状態と閉弁状態を切り替えるときのみ通電され、開弁状態と閉弁状態のいずれの状態も非通電状態で保持可能なステップモータ式バルブである。具体的には、図２に示すように、弁体５０がステップモータ５１によって開閉される。ステップモータ５１は、ステッパモータ、ステッピングモータ等とも称されるもので、下面開口状のモータハウジング５２を備えている。モータハウジング５２の下面開口部は、大気通路１０へ連結されている。モータハウジング５２内には、ボビン５３に励磁コイル５４を巻装してなるステータ５５が設けられている。ステータ５５内で回転する中空円筒状のロータ５６は、モータハウジング５２内において所定の高さ位置において垂直軸回りに回転可能に支持されている。ロータ５６の外周部には、永久磁石５７が配置されている。また、ロータ５６の上部内には、ナット部材５８が同心状に一体化されている。ナット部材５８の上端部は、モータハウジング５２に対して軸受５９を介して回転可能に支持されている。また、大気通路１０上には、筒状の軸受台６０が同心状に固定されている。軸受台６０の上部には、ロータ５６の下端部が軸受６１を介して回転可能に支持されている。
【００２４】
ナット部材５８の雌ねじ孔（符号省略）内には、作動軸６２の上部の雄ねじ（符号省略）が螺合されている。作動軸６２は、ステップモータ５１の出力軸となる。作動軸６２の下部は、軸受台６０内に対して軸回り方向に回り止めされた状態で、軸方向すなわち上下方向に移動可能に支持されている。したがって、ロータ５６の正逆回転によって作動軸６２が上下方向に往復移動される。作動軸６２の下端部は大気通路１０を貫通しており、作動軸６２の下端に、円板状の弁体５０が同心状に形成されている。そして、弁体５０が大気通路１０内に設けられた弁座１０ａに当接・離間することで、大気通路１０を図２の実線で示す開弁状態と、図２の仮想線で示す閉弁状態とに切り替え可能となっている。ステップモータ５１には、ターミナル６３を介して通電される。
【００２５】
詳しくは、例えば図２の仮想線で示す閉弁状態から図２の実線で示す開弁状態とに切り替える際は、ＥＣＵ３５によって正回転方向の信号がステップモータ５１へ通電されると、ロータ５６が正回転して弁体５０が弁座１０ａから離間することでＣＣＶ１５が開弁され、大気通路１０が連通状態となる。そして、ＣＣＶ１５が開弁されると、ステップモータ５１への通電が停止される。このとき、作動軸６２とナット部材５８との螺合によって弁体５０がその位置で保持されることで、ＣＣＶ１５は非通電状態でも開弁状態で保持される。一方、図２の実線で示す開弁状態から図２の仮想線で示す閉弁状態とに切り替える際は、これと逆であり、ＥＣＵ３５によって逆回転方向の信号がステップモータ５１へ通電されると、ロータ５６が逆回転して弁体５０が弁座１０ａに当接することで、ＣＣＶ１５が閉弁される。この場合も、作動軸６２とナット部材５８との螺合によって、ＣＣＶ１５は非通電状態でも閉弁状態で保持される。
【００２６】
パージ通路弁１３は、ＥＣＵ３５によって開閉タイミングが制御操作される常閉型の電磁弁である。なお、パージ通路弁１３にも、ＣＣＶ１５と同様にステップモータ式バルブを使用できる。リリーフ弁１６は、処理系内の圧力調整用のチェック弁であって、図１に示すように、系内方向へ常時バネ付勢された正圧リリーフ用の正圧リリーフ弁１６ａと、大気方向へ常時バネ付勢された負圧リリーフ用の負圧リリーフ弁１６ｂとからなる、機械式（バネ式）の弁である。処理系内が過度に正圧または負圧となると、対応する正圧リリーフ弁１６ａまたは負圧リリーフ弁１６ｂがバネの付勢力に抗して開弁することで、過度な圧力が開放（リリーフ）される。これにより、燃料タンク１等の破損が防止される。リリーフ弁１６の設定圧力は、バネの付勢力によって調整することができる。
【００２７】
次に、上記構成からなる蒸発燃料処理装置による蒸発燃料の処理機構について説明する。通常時（キーオフ時）は、ＣＣＶ１５は開弁しており、パージ通路弁１３は閉弁している。車両停止時（駐車時）や給油時などにおいて蒸発燃料の発生や給油に伴い燃料タンク１の内圧が上昇すると、燃料タンク１内の気体（空気及び蒸発燃料）がベーパ通路４を通してキャニスタ３内に流入する。すると、キャニスタ３内の吸着材Ｃによって蒸発燃料が選択的に吸着保持される。残余の空気は吸着材Ｃを透過し、キャニスタ３から大気通路１０を通して大気中に放散される。これにより、大気汚染を回避しながら燃料タンク１が圧力開放され、燃料タンク１の破損が防止される。
【００２８】
一方、走行時には、パージ通路弁１３がＥＣＵ３５によって開弁される。ＣＣＶ１５は開弁したままである。すると、機関吸気に伴う負圧がパージ通路５を介してキャニスタ３に作用する。これにより、キャニスタ３内に吸着されている蒸発燃料が吸引脱離され、パージ通路５を通して吸気通路３１へパージされる。このとき、大気通路１０から大気も吸引され、蒸発燃料の脱離が促進される。
【００２９】
次に、蒸発燃料処理装置の故障検出（漏れ判定）について図３〜６を参照しながら説明する。なお、図４〜６に示すフローにおいて、「Ｙ」はＹｅｓを、「Ｎ」はＮｏを意味する。漏れ判定は、蒸発燃料処理装置の処理系内を密閉して、そのときの内圧を圧力センサ１１によって検知し、その検知結果が所定の判定基準を満たしているか否をＥＣＵ３５で判定することで行われる。そのため、本実施形態では、処理系内を密閉可能な状態、すなわちキーオフした車両停止中に漏れ判定が行われる。
【００３０】
先ず、漏れ判定を行うに先だって、漏れ判定を行うための故障検出条件が成立しているか否かを判定する。具体的には、図３、４のフェイズ１（Ｐ１）に示すように、車両がキーオフされて停止されると、パージ通路弁１３が閉弁される。一方、ＥＣＵ３５は起動したままの状態であり、ＣＣＶ１５も開弁されている。したがって、処理系内は未だ大気開放状態（非密閉状態）なので、基本的に処理系内の圧力は安定している筈である。そこで、処理系内の圧力が安定していることが検知されると、故障検出条件が成立していると判定し、漏れ判定に移行する。一方、処理系内が大気開放状態であっても、急激な燃温変化等の影響により、圧力が安定していない場合もある。この場合、処理系内を密閉しても圧力は安定しないので、正確な漏れ判定は行えない。そこで、処理系内の圧力が安定しておらず、且つ所定時間経過しても圧力が安定していなければ、判定保留となる。これにより、無駄な電力消費を避けることができる。
【００３１】
故障検出条件判定フェイズＰ１において故障検出条件が成立していると判定されると、続いて漏れ判定フェイズに移行することになるが、その前に、図３，５のフェイズ２（Ｐ２）に示すように、予備的に漏れを判定するプレ判定が行われる。プレ判定フェイズＰ２では、ＣＣＶ１５が閉弁されて処理系内が密閉状態とされる。このとき、ＣＣＶ１５へは開閉操作するためだけに通電し、ＣＣＶ１５が閉弁されると通電が停止され、ＣＣＶ１５は非通電状態でも閉弁状態で保持される。パージ通路弁１３は閉弁されたままである。キーオフした車両停止直後は、エンジンからの廃熱等によって燃料Ｆの温度が上昇し易い状態にある。この状態においてＣＣＶ１５を閉弁して処理系内を密閉状態とすることで、処理系内の圧力は上昇していくことになる。そこで、処理系内の圧力が、予めＥＣＵ３５に設定した所定圧力範囲外、すなわち基準圧力以上となっていることが検知されれば、処理系内の気体が外部へ漏れていないことになるので、漏れ無しと判定される。このときの所定圧力範囲は特に制限されないが、大気圧±１ＫＰａ程度とすればよい。所定圧力範囲が大気圧と大きく離れて設定されると、漏れを的確に判定し難くなる。漏れ無しと判定されれば、ＣＣＶ１５を開弁して処理系内が通常の大気開放状態（非密閉状態）とされ、その後の漏れ判定は行われない。なお、このときもＣＣＶ１５へは開閉操作のためだけに通電し、ＣＣＶ１５が開弁されると通電が停止され、ＣＣＶ１５は非通電状態でも開弁状態で保持される。その後のＣＣＶ１５の開閉操作も同様である。
【００３２】
一方、ＣＣＶ１５を閉弁して処理系内を密閉したにもかかわらず、処理系内の圧力が所定の範囲内、すなわち基準圧力未満であれば、漏れの判定を行うことができない。このとき、エンジンからの廃熱量等が少量であれば、圧力の上昇には時間がかかる。しかし、所定時間が経過しても処理系内の圧力が所定範囲内であれば、一旦ＣＣＶ１５を開弁して大気開放し、再度ＣＣＶ１５を閉弁して処理系内の圧力を大気圧へリセットする。このとき、圧力変化量が予めＥＣＵ３５に設定した値以上であれば、漏れ無しと判定するが、所定値未満であれば、そのまま判定が保留される。
【００３３】
プレ判定フェイズＰ２にて判定保留されると、続いて本格的な漏れ判定フェイズへ移行することになる。但し、漏れ判定を長時間連続して行うと、消費電力が大きくなる。そこで、図１に示すように、ＥＣＵ３５はタイマー機能も有しており、図３に示すように、所定時間毎に漏れ判定回路を起動して漏れ判定を行い、各回の漏れ判定が終了すると漏れ判定回路が停止される、間欠的なタイマー式漏れ判定を行うように設定されている。間欠的な漏れ判定の時間は特に制限されないが、例えば１０〜３０分毎に１回あたり１０〜３０秒程度漏れ判定を５〜１５回程度行うよう設定することができる。このように、比較的長いスパンで漏れ判定を行っても、１回当たりの通電量は少ないので、高精度の漏れ判定を省電力で行うことができる。
【００３４】
漏れ判定フェイズＰ３では、図３に示すように、プレ判定フェイズＰ２にて一旦処理系内を大気開放したので、その後は燃料Ｆの温度が低下していくことに伴い処理系内の圧力も低下していく傾向となる。なお、燃料Ｆの温度が大気温度まで下がると、その後は大気温度に追従して燃料Ｆの温度も昇降し、これに伴い処理系内の圧力も昇降することになる。漏れ判定フェイズＰ３では、図６に示すように、キーオフされてから所定時間が経過すると、ＥＣＵ３５の漏れ判定回路が起動される。但し、プレ判定フェイズＰ２にて既に漏れ無しを判定されていれば、漏れ判定は行われず漏れ判定回路は停止される。キーオン中であれば、当然に漏れ判定は行われない。一方、プレ判定フェイズＰ２にて判定保留されていれば、ＣＣＶ１５が閉弁されており、且つ処理系内の圧力が安定していることを前提として、漏れ判定が行われる。圧力が安定していなければ判定が保留され、次回の漏れ判定へ移行することになる。また、ＣＣＶ１５が開弁されていれば閉弁されるが、この場合は所定時間が経過していないので漏れ判定を行うことができない。そこで、燃温センサ１２によって燃料Ｆの温度を検知し、その温度における密閉された処理系内の予想圧力がＥＣＵ３５において算出される。ＥＣＵ３５には、予め燃温−密閉圧力曲線が記憶されている。この予想密閉圧力の算出処理を、燃温ストア処理（ＴＯ）と称す。
【００３５】
漏れ判定を行うときは、処理系内の圧力が予めＥＣＵ３５で設定した所定圧力の範囲外であれば、漏れ無しと判定される。なお、このときの圧力が所定範囲外にあるとは、基本的には上述のように処理系内の圧力は低下傾向にあるため、基準圧力未満の場合が多いが、大気温度の上昇等に伴い処理系内の圧力が上昇することもあるので、基準圧力以上の場合も想定される。一方、処理系内の圧力が所定圧力範囲内にあれば、そのときの実圧力が燃温ストア処理において算出された予想密閉圧力と照らしあわされる。その結果、実圧力と予想密閉圧力との差が所定値以上であれば、漏れ有りと判定される。漏れ判定フェイズＰ３にて漏れ有りまたは漏れ無しと判定されれば、次回以降の漏れ判定は行われない。一方、実圧力と予想密閉圧力との差が所定値未満であれば判定が保留され、次回の漏れ判定に移行される。そして、このような漏れ判定フェイズＰ３が、ＥＣＵ３５のタイマーにより定期的に複数回行われることになる。
【００３６】
なお、プレ判定Ｐ２も含めて漏れ判定中に給油されたことが検知されると、当該漏れ判定は停止される。
【００３７】
以上、本発明の代表的な実施形態について説明したが、本発明の要旨を逸脱しない範囲で種々の変更が可能である。例えば、通電により開閉が切り替わり、開弁状態と閉弁状態のいずれの状態も非通電状態で保持可能なＣＣＶ１５としては、上記ステップモータ式のバルブに限らず、例えば磁石付き電磁弁や、ＤＣモータと減速ギアを用いたバルブを使用することもできる。磁石付き電磁弁７０は、電磁石錠とも称されるものであって、図７に示すように、弁体７１が電磁石７２を利用して、図７の実線で示す開弁状態と仮想線で示す閉弁状態とを切り替えるものである。詳しくは、大気通路１０に、例えば鉄等の磁性材料からなるハウジング７３が連結される。ハウジング７３内の上端部及び下端部には、それぞれ電磁石７２ａ・７２ｂが配されている。弁体７１は、大気通路１０内に設けられた弁座１０ａに当接・離間するバルブ部７１ａと、上下の電磁石７２ａ・７２ｂの間で昇降自在に配された操作部７１ｂと、バルブ部７１ａと操作部７１ｂとを連結する連結部７１ｃとからなる。操作部７１ｂは磁性材料からなるが、バルブ部７１ａは非磁性材料からなる。連結部７１ｃは、下方の電磁石７２ｂを貫通している。符号７４は、弁体７１を常時閉弁方向へ付勢する圧縮バネである。
【００３８】
上記構成のＣＣＶ１５において、例えば図７の実線で示す開弁状態から仮想線で示す閉弁状態へ切り替える場合は、下方の電磁石７２ｂへ通電されることで磁界が発生し、これにより操作部７１ｂが電磁石７２ｂに引き寄せられることで、弁体７１が閉弁操作される。このとき、弁体７１が閉弁されると通電が停止されるが、操作部７１ｂ及びハウジング７３が磁性を帯びていることで、非通電状態でも弁体７１が閉弁位置で保持される。なお、圧縮バネ７４は、弁体７１と弁座１０ａとの密着性を向上するために配されている。一方、図７の仮想線で示す閉弁状態から実線で示す開弁状態へ切り替える場合は、上方の電磁石７２ａへ通電されることで磁界が発生し、これにより操作部７１ｂが圧縮バネ７４の付勢力に抗して電磁石７２ａに引き寄せられることで、弁体７１が開弁操作される。このとき、弁体７１が開弁されると通電が停止されるが、操作部７１ｂ及びハウジング７３が磁性を帯びていることで、非通電状態でも弁体７１が閉弁位置で保持される。
【００３９】
また、上記実施形態では、正負圧リリーフ弁１６をＣＣＶ１５とは別ルートで並列に設けたが、図７に示すように、大気通路１０内へＣＣＶ１５と共に組み込むこともできる。この場合も、ＣＣＶ１５と正負圧リリーフ弁１６とは実質的に並列関係にある。
【００４０】
また、上記実施形態では、燃料タンク１とキャニスタ３とを含めて１つの圧力センサ１１で処理系内の漏れ判定を纏めて行っていたが、燃料タンク１を含む処理系とキャニスタ３とを含む処理系とに分けて漏れ判定を行うこともできる。具体的には、図８に示すように、圧力検知手段として、燃料タンク１内の圧力を検知する燃料タンク内圧センサ１１と共に、キャニスタ３内の圧力を検知するキャニスタ内圧センサ１８を設け、さらに燃料タンク１とキャニスタ３との間、すなわちベーパ通路４上に、該燃料タンク１とキャニスタ３との連通状態と遮断状態を切り替え可能な遮断手段として、ベーパ通路弁１９も設ける。そして、漏れ判定時には、ベーパ通路弁１９によって燃料タンク１とキャニスタ３とを遮断して、燃料タンク１側の処理系内とキャニスタ３側の処理系内の漏れ判例を個別に行うこともできる。このとき、ベーパ通路弁１９は、ＣＣＶ１５と連動して同時に開閉操作すればよく、各フェイズＰ１〜Ｐ３は上記実施形態と同様に行うことができる。ベーパ通路弁１９としては、パージ通路弁１３と同じものを使用できる。この場合、燃料タンク内圧センサ１１が本発明の燃料タンク内圧検知手段に相当し、キャニスタ内圧センサ１８が、本発明のキャニスタ内圧検知手段に相当する。
【符号の説明】
【００４１】
１  燃料タンク
３  キャニスタ
４  ベーパ通路
５  パージ通路
１０  大気通路
１１  圧力センサ
１２  燃温センサ
１３  パージ通路弁
１５  キャニスタクローズドバルブ（ＣＣＶ）
１６  正負圧リリーフ弁
１８  キャニスタ内圧センサ
１９  ベーパ通路弁
３１  吸気通路
５０  弁体
５１  ステップモータ
７０  磁石付き電磁弁
７１  弁体
７２  電磁石
Ｃ  吸着材
Ｆ  燃料
【図１】
2015075031.tif 000003
【図２】
2015075031.tif 000004
【図３】
2015075031.tif 000005
【図４】
2015075031.tif 000006
【図５】
2015075031.tif 000007
【図６】
2015075031.tif 000008
【図７】
2015075031.tif 000009
【図８】
2015075031.tif 000010